(57)【特許請求の範囲】
【請求項１】
スタンドのベースとなる第１のスタンド部材と、この第１のスタンド部材に垂直にかつ上下動可能に設けられた垂直軸と、この垂直軸を常時上向きに付勢するばねと、この垂直軸の上昇限を規定する上昇限規定手段と、前記第１のスタンド部材に昇降可能に設けられた第２のスタンド部材と、表示パネル画面中心位置で画面と直交する向きの軸心を持ち前記第２のスタンド部材に前記線軸心回りに回転可能に設けられたパネル支持軸とを備え、
前記垂直軸の上端に、直立突起状のストッパを一体に設け、前記パネル支持軸の表示パネル側と反対側の端部近傍の外周に、前記垂直軸の上端のストッパが嵌入可能な直角二方向の２つの係合穴を持つ係合部を設けたことを特徴とする薄型表示装置用スタンド。
【請求項２】
前記ストッパが矩形板状であり、前記係合部が直角二方向の２つの係合穴としての、パネル支持軸の端面から見て十字形をなす十字形溝を持つことを特徴とする請求項１記載の薄型表示装置用スタンド。
【発明の詳細な説明】
【０００１】
【発明の属する技術分野】
この発明は、薄型表示装置用スタンドに関し、特に、表示パネルの高さ位置の調節が可能であり、かつ、画面の縦横の切り替えが可能な薄型表示装置に用いるスタンドに関する。
【０００２】
【従来の技術】
従来より、表示パネルの高さ位置の調節が可能であり、かつ、画面の縦横の切り替えが可能な薄型表示装置がある。この種の従来の薄型表示装置は、表示パネルを昇降可能にかつ所望の位置で停止可能に支持する高さ調整機構、および画面の縦横の切り替えを行うために表示パネルを９０°回転させるローテーション機構を備えているが、従来の薄型表示装置用スタンドでは、前記高さ調整機構およびローテーション機構がそれぞれ独立した機構として設けられている。
【０００３】
そして、画面の縦横の切り替えを行う時は、表示パネルを上昇させ、その高い位置で表示パネルを９０°回転させて、画面を横長から縦長にあるいは縦長から横長に切り替える。そして、縦長で用いるときは、表示パネルを高い位置の近傍に保持し、横長で用いるときは、通常、横長に切り替えの後、画面を見易くするために、表示パネルを低い位置に下降させる。
【０００４】
【発明が解決しようとする課題】
上記従来の薄型表示装置用スタンドにおいて、表示パネルがあまり高くない位置にある時に、画面の縦横の切り替え動作すなわち表示パネルを回転させるローテーション動作を行うと、通常、表示パネルの対角線の角部が机上面等の載置面に当たってしまう。表示パネルに無用な衝撃を与えることは好ましくないので、そのような誤操作が生じないように、表示パネルが低い位置にある時には回転できないように制限されていることが好ましい。
【０００５】
本発明は上記事情に鑑みてなされたもので、表示パネルが高い位置にある時は自由にローテーション動作を行うことができ、低い位置にある時には自動的にローテーション動作が制限される薄型表示装置用スタンドを提供することを目的とする。
【０００６】
【課題を解決するための手段】
上記課題を解決する本発明の薄型表示装置用スタンドは、スタンドのベースとなる第１のスタンド部材と、この第１のスタンド部材に垂直にかつ上下動可能に設けられた垂直軸と、この垂直軸を常時上向きに付勢するばねと、この垂直軸の上昇限を規定する上昇限規定手段と、前記第１のスタンド部材に昇降可能に設けられた第２のスタンド部材と、表示パネル画面中心位置で画面と直交する向きの軸心を持ち前記第２のスタンド部材に前記線軸心回りに回転可能に設けられたパネル支持軸とを備え、
前記垂直軸の上端に、直立突起状のストッパを一体に設け、前記パネル支持軸の表示パネル側と反対側の端部近傍の外周に、前記垂直軸の上端のストッパが嵌入可能な直角二方向の２つの係合穴を持つ係合部を設けたことを特徴とする。
【０００７】
請求項２は、請求項１の薄型表示装置用スタンドにおいて、ストッパが矩形板状であり、係合部が直角二方向の２つの係合穴としての、パネル支持軸の端面から見て十字形をなす十字形溝を持つことを特徴とする。
【０００８】
【発明の実施の形態】
以下、本発明の実施の形態を図１〜図６に示した実施例を参照して説明する。図１は本発明の一実施例の薄型表示装置用スタンド３の一部切り欠き斜視図、図２は図１のＡ−Ａ断面図である。これらの図において、１は薄型表示装置用スタンド３のベースとなる第１のスタンド部材で、この第１のスタンド部材１に第２のスタンド部材２が昇降可能に設けられている。第１のスタンド部材１および第２のスタンド部材２はいずれもボックス状をなしており、第２のスタンド部材２は第１のスタンド部材１の外周に嵌合して上下に摺動可能である。なお、第２のスタンド部材２は、図示略のラッチ機構等により所望の高さ位置に停止させることが可能である。すなわち、高さ調整機構を備えている。
【０００９】
前記第１のスタンド部材１の中央に垂直軸４が垂直にかつ上下動可能に設けられている。この垂直軸４は中間部に鍔５を固定しており、この鍔５を介してばね６により上向きに付勢されている。また、前記第１のスタンド部材１の側壁から水平に延出させた高さ規制板７を貫通するとともに、前記鍔５がこの高さ規制板７に当たることで、上昇限を規定されている。前記鍔５および高さ規制板７は垂直軸４の上昇限を規定する上昇限規定手段８を構成する。
【００１０】
１０は図示略の表示パネルを取り付ける表示パネル取付板であり、この表示パネル取付板１０の中央にパネル支持軸１２が垂直に固定されている。パネル支持軸１２の軸心は、表示パネル画面中心位置で画面と直交する向きをなしている。このパネル支持軸１２は、保持枠１３の前板部１３ａに矢印ａのように軸心回りに回転可能に支持されている。このパネル支持軸１２の矢印ａ方向の回転が、画面の縦横の切り替え動作、すなわち表示パネルを回転させるローテーション動作である。
前記保持枠１３の左右の側板部１３ｂは、第２のスタンド部材２の上面部に固定された対向する左右一対のＬ型部材１４にヒンジ軸１５で回転可能に取り付けられ、これによりパネル支持軸１２および保持枠１３がヒンジ軸１５を中心として上下に回動可能である。前記、表示パネル取付板１０、保持枠１３、Ｌ型部材１４は金属板製である。
図示は省略するが、パネル支持軸１２は、ヒンジ軸１５を中心とする回転動作における任意に傾き角で停止させることができるようになっており、このパネル支持軸１２のヒンジ軸１５を中心とする回転動作が、表示パネルの上下の傾き角を変えるチルト動作である。
【００１１】
前記垂直軸４の上端には、図３にも示すように、直立する矩形板状（すなわち直立突起状）のストッパ１８が一体に設けられている。一方、前記パネル支持軸１２の表示パネル取付板１０と反対側の端部には、パネル支持軸１２の端面から見て十字形をなす十字形溝１９を持つ係合部２０を設けている。前記十字形溝１９の縦横の各溝１９ａ、１９ａは、ストッパ１８が嵌入可能な直角二方向の２つの係合穴をそれぞれ構成しており、パネル支持軸１２の直角二方向の２つの回転位置、すなわち表示パネルの縦横の２つの位置に対応している。
【００１２】
上記の薄型表示装置用スタンド３において、図示略の表示パネルを手で昇降させると、パネル支持板１０、パネル支持軸１２、保持枠１３、Ｌ型部材１４、第２のスタンド部材２等が一体となって第１のスタンド部材１に対して昇降する。図１、図２あるいは図３は、表示パネルが使用時の高さ位置でなくローテーション動作を行う高さ位置にある。この状態では、垂直軸４は、鍔５が高さ規制板７に当たって上昇限位置に止まっているので、パネル支持軸１２の端部の係合部２０は垂直軸４の上端のストッパ１８から離間している。したがって、パネル支持軸１２は制限を受けずに自由に回転できる。すなわち、この状態では、表示パネルおよびパネル支持軸１２を回転させても、表示パネルの対角線の角部が机上面等の載置面に当たることはなく、画面の縦横の切り替えを自由に行うことができる。
【００１３】
図３の状態にあるパネル支持軸１２を表示パネルとともに下降させると、図４に示すように、パネル支持軸１２の端部の係合部２０の十字形溝１９の一方の溝１９ａに垂直軸４のストッパ１８が嵌入する。これにより、パネル支持軸１２のその軸心回りの回転は制限され、したがって、画面の縦横の切り替え動作すなわち表示パネルをパネル支持軸１２の軸心回りに回転させるローテーション動作は制限される。したがって、誤って表示パネルのローテーション動作を行って、表示パネルの対角線の角部が机上面等の載置面に当たるという問題は発生しない。
【００１４】
図５は図４のローテーション動作制限状態におけるチルト動作を示す。図示の通り、パネル支持軸１２の溝１９ａの動きに対してストッパ１８が障害とならないので、チルト動作を自由に行うことができる。
【００１５】
パネル支持軸１２の端部の十字形溝１９が垂直軸４の上端のストッパ１８に係合した状態で、表示パネルおよびパネル支持軸１２を下降させると、係合したまま、垂直軸４をばね６の反力に打ち勝って押し下げる。したがって、依然として、ローテーション動作を制限することができる。
【００１６】
図４の状態から画面の切り替えを行う時は、パネル支持軸１２を図３のような高さ位置に一旦上昇させ、垂直軸４のストッパ１８とパネル支持軸１２の十字形溝１９の一方の溝１９ａとの係合を解除する。そして、前述したように表示パネルおよびパネル支持軸１２を９０°回転させ、次いで下降させてパネル支持軸１２の十字形溝１９の他方の溝１９ａと垂直軸４のストッパ１８とを係合させると、画面が縦長または横長の使用状態から横長または縦長の使用状態に切り替わる。ただし、縦長および横長のいずれの場合でも、図３のような高さ位置で用いることは当然可能である。
【００１７】
図６に垂直軸４の上端のストッパおよびこれを嵌入させるパネル支持軸１２側の係合穴についての他の実施例を示す。この実施例では、垂直軸４の上端のストッパとして、直立した丸棒からなるストッパ１８’を設け、このストッパ１８’を嵌入させる直角二方向の２つの係合穴として、パネル支持軸１２の端部近傍の外周に直角二方向の貫通長穴１９’ａ、１９’ａをあけている。この２つの貫通長穴１９’ａ、１９’ａのある部分が係合部２０を構成する。長穴としているのは、チルト動作を許容するためである。
要するに、垂直軸４の上端のストッパおよびこれを嵌入させるパネル支持軸１２側の係合穴は、パネル支持軸１２が下降した時に垂直軸４上のストッパが係合穴に嵌入してパネル支持軸１２の回転を拘束する構造であればよい。なお、通常は、さらに、チルト動作を許容する構造とする。
【００１８】
なお、第１のスタンド部材１および第２のスタンド部材２の構造は、任意であり、実施例のようなボックス状でなくてもよい。また、垂直軸４の高さを規制する上昇限規制手段８、パネル支持軸１２を軸心回りに回転可能に支持する構造等も実施例のものに限らず、種々設計変更することができる。
【００１９】
【発明の効果】
本発明によれば、表示パネルの高さ調整機構とローテーション機構とが関連付けられており、表示パネルが低い位置にある時には自動的にローテーション動作が制限されるので、表示パネルを低い位置で回転させて表示パネルの角部を載置面にぶつけてしまうという誤操作を防止することができ、表示パネルに無用な衝撃を与えるおそれがなくなるという効果が得られる。
【図面の簡単な説明】
【図１】本発明の一実施例の薄型表示装置用スタンドの一部切り欠き斜視図である。
【図２】図１におけるＡ−Ａ断面図である。
【図３】ローテーションの動作制限が行われていない状態を説明するもので、図１における垂直軸のストッパおよびパネル支持軸の係合部の近傍のみを拡大した示した図である。
【図４】ローテーションの動作制限が行われている状態を説明するもので、図３においてパネル支持軸が下降して係合部がストッパと係合した状態の図である。
【図５】図４のローテーション動作制限状態において表示パネルのチルト動作を行う時のパネル支持軸の動きを説明する図である。
【図６】垂直軸の上端のストッパおよびこれを嵌入させるパネル支持軸側の係合穴についての他の実施例を示す斜視図である。
【符号の説明】
１  第１のスタンド部材
２  第２のスタンド部材
３  薄型表示装置用スタンド
４  垂直軸
５  鍔
６  ばね
７  高さ規制板
８  上昇限規定手段
１０  パネル取付板
１２  パネル支持軸
１３  保持枠
１４  Ｌ型部材
１５  ヒンジ軸
１８  ストッパ
１９  十字形溝
１９ａ  溝
２０  係合部
【図１】
0003768344.tif 000002
【図２】
0003768344.tif 000003
【図３】
0003768344.tif 000004
【図４】
0003768344.tif 000005
【図５】
0003768344.tif 000006
【図６】
0003768344.tif 000007